(57)【要約】【課題】  遊技者自身の入力操作によって識別図柄と装飾図柄とをそれぞれ選択して、新たな組合せ図柄を制作することにより、遊技者の興趣の向上を図り注目度を高めることのできる遊技機を提供する。【解決手段】  記号図柄の表記内容（数字の１〜７）に基づいて組合せ図柄を図柄変更初期画面として液晶表示部２０に一覧表示する。数字１のキャラクタ３１点滅からＢボタンが４回押下操作されると、数字５のキャラクタ３５が点滅する。Ａボタンが押下操作されると点滅図柄（数字５のキャラクタ３５）が選択表示され二重枠で囲まれて確定状態となる。数字１のキャラクタ３１点滅からＢボタンが５回押下操作されると、数字７のキャラクタ３７が点滅する。Ａボタンが押下操作されると、二重枠図柄（数字５のキャラクタ３５）と点滅図柄（数字７のキャラクタ３７）とが入れ替わって図柄の設定更新がなされる。【選択図】  図６
2009089953.tif 000002
【特許請求の範囲】
【請求項１】
複数種の識別図柄と各識別図柄に付随する複数種の装飾図柄とを組合せた複数の組合せ図柄がそれぞれ所定の順序で配置された図柄列を複数有し、表示手段において各図柄列を変動表示した後停止表示することにより、所定の始動条件の成立に伴い実行された内部抽選の当否判定結果を遊技者に報知する遊技機において、
前記識別図柄と装飾図柄との組合せを人為的に変更するために、前記識別図柄と装飾図柄とをそれぞれ選択して入力操作する操作手段と、
その操作手段の入力操作に基づいて選択された識別図柄と装飾図柄とを組み合わせて新たな組合せ図柄を制作し設定するための図柄設定制御手段と、
を備えることを特徴とする遊技機。
【請求項２】
前記識別図柄の表記内容によって前記内部抽選の当否判定が行なわれるとともに、
前記図柄設定制御手段は、前記操作手段の入力操作に基づいて選択された組合せ図柄のうち前記識別図柄の表記内容をそのまま保持し、当該識別図柄に付随する装飾図柄を組み替えることにより、新たな組合せ図柄を制作し設定する請求項１に記載の遊技機。
【請求項３】
各々の組合せ図柄に関する前記識別図柄と装飾図柄との組合せ内容を図柄設定情報として記憶する図柄記憶手段を備え、
前記図柄設定制御手段は、前記図柄記憶手段に記憶された図柄設定情報を読み出し、その読み出した図柄設定情報における識別図柄の表記内容に基づいて前記組合せ図柄を前記表示手段に一覧表示し、前記操作手段の入力操作に応じて選択された一対の装飾図柄を相互に入れ替えることにより一対の組合せ図柄を同時に変更し、その変更された一対の組合せ図柄を新たな組合せ図柄として前記図柄記憶手段の図柄設定情報を更新する請求項２に記載の遊技機。
【発明の詳細な説明】
【技術分野】
【０００１】
本発明は、パチンコ遊技機やスロットマシン等の遊技機に関する。
【背景技術】
【０００２】
例えば、一般によく知られた「セブン機」と称されるパチンコ遊技機では、スタートチャッカー（始動チャッカー、始動入賞口ともいう）やスルーチャッカー（始動ゲートともいう）に入賞すると、大当たり抽選（内部抽選）の当否判定が行われる。この判定結果に基づいて、複数（例えば３桁）の図柄表示領域を有する特図表示部（表示手段）では、液晶等によって表示領域（図柄列）毎に複数の特別図柄（特図）が所定時間にわたり変動表示した後確定表示（停止表示）することによって、当否判定が遊技者に報知される。近年では、液晶技術等の進歩により、特図表示部に表示される特別図柄は、数字、文字等の表記記号として表示される記号図柄と、人物、動物等を模したキャラクタをイメージさせるキャラクタ図柄とを組合せた組合せ図柄で構成されることが多くなり、アニメ、映画、ドラマ等とタイアップすることにより遊技機にテーマ（あるいはタイトル、物語）を持たせることと相まって、遊技者の興趣の向上に一役買っている。
【０００３】
ところで、このような組合せ図柄を特別図柄として用いる際に、変動表示が開始されると識別図柄（記号図柄）と装飾図柄（キャラクタ図柄）とに分離され、それぞれ個別に変動表示を行い、識別図柄と装飾図柄とが組み合わされて確定表示することにより、確定表示された特別図柄は変動表示前とは組合せが変化する技術が開示されている（特許文献１参照）。また、リーチ状態において、表示図柄（特別図柄）を構成するキャラクタ図柄と数字図柄（記号図柄）とを別々に変動制御し、両者の組合せを変化させることによって表示図柄に様々な意味を持たせる技術も開示されている（特許文献２参照）。
【０００４】
【特許文献１】特開２００３−２２０２３６号公報
【特許文献２】特開２００４−２４９１３３号公報
【０００５】
これらの技術によれば、変動表示状態（特許文献１の場合）又はリーチ状態（特許文献２の場合）において記号図柄とキャラクタ図柄との組合せが分離され個別に変動制御されるので、図柄固定に比べて特別図柄に対する飽きを抑え、遊技者の興趣をある程度向上させることができる。しかし、いずれの場合であっても、記号図柄とキャラクタ図柄との組合せが分離するのは特別図柄が変動表示するときにすぎないから、遊技機側で予めプログラム化された通りに図柄制御されることに変わりはなく、遊技者の好みや希望が叶えられるとは限らない。
【０００６】
具体的には、特別図柄にキャラクタ図柄が採用されると、遊技機の機種毎にテーマ（タイトル、物語）が加わり、通常はそのテーマの中で主役を演じるキャラクタＸが遊技者に対して最大の利益を付与する記号図柄（例えば奇数数字の確変大当たり図柄）と組み合わされている。特定のテーマに強い思い入れを抱く遊技者の中には、例えば脇役を演じるキャラクタＹを確変図柄に登場させて遊技を楽しみたいとの願望がある。このような遊技者にとっては、遊技機側のプログラムによって瞬間的に脇役キャラクタＹが登場しても（例え偶数数字の通常大当たり図柄を構成する記号図柄とともに出現したとしても）、高揚感・達成感に乏しく興趣の向上を望みにくい。
【発明の開示】
【発明が解決しようとする課題】
【０００７】
本発明の課題は、遊技者自身の入力操作によって識別図柄と装飾図柄とをそれぞれ選択して、新たな組合せ図柄を制作することにより、遊技者の興趣の向上を図り注目度を高めることのできる遊技機を提供することにある。
【課題を解決するための手段及び発明の効果】
【０００８】
上記課題を解決するために、本発明の遊技機は、
複数種の識別図柄と各識別図柄に付随する複数種の装飾図柄とを組合せた複数の組合せ図柄がそれぞれ所定の順序で配置された図柄列を複数有し、表示手段において各図柄列を変動表示した後停止表示することにより、所定の始動条件の成立に伴い実行された内部抽選の当否判定結果を遊技者に報知する遊技機において、
前記識別図柄と装飾図柄との組合せを人為的に変更するために、前記識別図柄と装飾図柄とをそれぞれ選択して入力操作する操作手段と、
その操作手段の入力操作に基づいて選択された識別図柄と装飾図柄とを組み合わせて新たな組合せ図柄を制作し設定するための図柄設定制御手段と、
を備えることを特徴とする。
【０００９】
このように、所定の始動条件の成立に伴い内部抽選を実行する抽選手段と、複数種の識別図柄と各識別図柄に付随する複数種の装飾図柄とを組合せた複数の組合せ図柄がそれぞれ所定の順序で配置された複数の図柄列を表示する表示手段と、抽選手段の抽選結果に基づいて各図柄列を変動表示した後停止表示することにより、内部抽選の当否判定結果を遊技者に報知する表示制御手段とを備えた遊技機において、遊技者自身の入力操作によって（例えば表示手段（液晶表示部；特図表示部）上で）識別図柄と装飾図柄とをそれぞれ選択して、新たな組合せ図柄（例えば特図）を制作することができる。これによって、遊技者が遊技店で遊技する際に、組合せ図柄における識別図柄と装飾図柄との組合せを設計時に設定された標準仕様（デフォルト）から仕様変更して、いわば遊技機の仕様をカスタマイズ化することができる。したがって、遊技者は好みのキャラクタ等を遊技機のテーマの中心に据えて遊技を楽しむことができるようになり、遊技者の興趣の向上を図り注目度を高めることができる。しかも、組合せ図柄を仕様変更して新たな組合せ図柄を制作・設定したとき、その新たな組合せ図柄を含め、識別図柄と装飾図柄との組合せが表示手段にて一覧表示される場合には、希望する組合せ図柄への仕様変更が容易に行なえる。
【００１０】
なお、新たな組合せ図柄を制作・設定するに際して、当否判定結果が仕様変更の前後で変動しないように、識別図柄と装飾図柄とのうち内部抽選の当否判定に係わる一方の図柄を固定し、他方の図柄を変更することができる。つまり、識別図柄によって内部抽選の当否判定を行なう場合には、識別図柄を固定して装飾図柄を変更する。これに対して、装飾図柄によって内部抽選の当否判定を行なう場合には、装飾図柄を固定して識別図柄を変更する。ただし、装飾図柄又は識別図柄の相互入れ替えのみによって新たな組合せ図柄を制作する場合（組合せ図柄総数の増減なし）と、新規な装飾図柄又は識別図柄を導入して新たな組合せ図柄を制作する場合（組合せ図柄総数の増減あり）とを含む。また、遊技機には、複数（例えば３桁）の図柄表示領域（図柄列）を有する、パチンコ遊技機やスロットマシンが含まれる。ここで、識別図柄は、数字、文字、記号等の表記シンボルとして表示される図柄を意味し、装飾図柄は、人物、動物、物体（自然物、人工物）、風景等を模したキャラクタやイメージを想起させる図柄を意味する。
【００１１】
特に、識別図柄の表記内容によって内部抽選の当否判定が行なわれるとともに、
図柄設定制御手段は、操作手段の入力操作に基づいて選択された組合せ図柄のうち識別図柄の表記内容をそのまま保持し、識別図柄に付随する装飾図柄を組み替えることにより、新たな組合せ図柄を制作し設定することが望ましい。
【００１２】
このように、表示手段が各図柄列を停止表示したときの識別図柄の組合せによって内部抽選の当否判定結果を報知する場合には、識別図柄の表記内容をそのまま保持（固定）し、装飾図柄を組み替えて変更する。これによって、仕様変更の前後において当否判定結果（例えば、確変大当たり図柄となる識別図柄）を変動させることなく、キャラクタイメージ等を変更（例えば、サブキャラクタをメインキャラクタに格上げ）して、遊技者の興趣を大きく向上させることができる。
【００１３】
具体的には、各々の組合せ図柄に関する識別図柄と装飾図柄との組合せ内容を図柄設定情報として記憶する図柄記憶手段を備え、
図柄設定制御手段は、図柄記憶手段に記憶された図柄設定情報を読み出し、その読み出した図柄設定情報における識別図柄の表記内容に基づいて組合せ図柄を表示手段に一覧表示し、操作手段の入力操作に応じて選択された一対の装飾図柄を相互に入れ替えることにより一対の組合せ図柄を同時に変更し、その変更された一対の組合せ図柄を新たな組合せ図柄として図柄記憶手段の図柄設定情報を更新することができる。
【００１４】
このように、識別図柄の表記内容を変更せず、装飾図柄の相互入れ替えのみによって、新たな組合せ図柄を制作・設定するので、仕様変更の前後において組合せ図柄総数は増減せず、当選確率が変動しないから、組合せ図柄の仕様変更によって遊技の公平性が損なわれない。
【発明を実施するための最良の形態】
【００１５】
（実施例）
以下、本発明の実施の形態につき図面に示す実施例を参照して説明する。図１は本発明に係る遊技機の一例であるパチンコ遊技機の正面模式図である。図１に示すパチンコ遊技機１（遊技機）は、台枠に取り付けられた透明のガラス扉２と、台枠の内側に配置されてガラス扉２によって覆われる遊技盤３を有する。遊技盤３には、円形状の遊技領域３ａが形成されている。遊技領域３ａの下方には、玉補給皿４が設けられている。玉供給皿４に準備された玉（遊技玉；遊技媒体）は、ハンドル装置５を含んで構成される発射装置１１０（図２参照）によって遊技領域３ａに向けて発射される。遊技領域３ａには釘３ｂが多数植設されているので、レール（図示省略）を通じて遊技盤３の遊技領域３ａに達した玉は、それらの釘３ｂに弾かれながら遊技領域３ａを落下する。なお、１０２はスピーカ、１０３は装飾ランプ類を示す。
【００１６】
遊技領域３ａの中央付近には、所定条件の成立に基づいて実行される大当たり抽選（内部抽選）の当否判定結果を特別図柄（特図）として変動表示した後停止表示して遊技者に報知するための液晶表示部２０（特図表示部；表示手段）が配設されている。液晶表示部２０の上方には、横一列状に位置する複数（例えば４個）のＬＥＤからなる特図保留表示部２１が配置されている。
【００１７】
液晶表示部２０の下方には、開閉する一対の回動翼片１２ａ，１２ａを有する電動チューリップ（電チュー）で構成されるスタートチャッカー１２（始動入賞口）が配置されている。液晶表示部２０の左側には、玉が通過したときスタートチャッカー１２の回動翼片１２ａ，１２ａを所定時間及び所定回数だけ開放するための通過ゲート１１（スルーチャッカー）が配置され、スタートチャッカー１２の下方には、スタートチャッカー１２への入賞に基づいて実行される大当たり抽選において大当たりしたときに開放される大入賞装置１３（可変入賞装置；アタッカー）が設けられている。なお、符号１４は玉を回収するための玉排出口を示す。
【００１８】
液晶表示部２０の左斜め下方（通過ゲート１１の下方）には、１又は複数（例えば１つ）のＬＥＤにより普通図柄（普図）を表示する普図表示部１５と、複数（例えば４つ）のＬＥＤからなる普図保留表示部１６とが上下に配設されている。この普図表示部１５においては、玉が通過ゲート１１を通過したときに行われる当たり抽選の結果に応じ、ＬＥＤを点滅表示（遊技状態にかかわらず変動時間は２秒間）することによって普図の変動表示を行った後、当たりの場合には点灯表示し、ハズレの場合には消灯表示する。当たり抽選の結果が当たりの場合、通常状態であれば回動翼片１２ａ，１２ａを短い時間（例えば、０．２秒で１回）開放し、時短状態や確変状態であれば回動翼片１２ａ，１２ａを長い時間（例えば、１．５秒を３回）開放するので、時短状態や確変状態は通常状態に比べてスタートチャッカー１２への入賞率が高くなり、持玉をあまり減らすことなく遊技を継続することができる。
【００１９】
なお、普図の当選確率は、通常状態では１／１００、時短状態や確変状態では９９／１００に設定されているので、通常状態に比べて時短状態や確変状態ではスタートチャッカー１２における回動翼片１２ａ，１２ａの開放頻度が高くなる。
【００２０】
また、普図表示部１５での変動表示中あるいは回動翼片１２ａ，１２ａの開放動作中において、玉が通過ゲート１１を通過したとき、その玉の通過に基づいて行われた当たり抽選の結果を一時記憶（保留）し、普図保留表示部１６のＬＥＤを１つ点灯する。当たり抽選の結果は最大４つまで保留することが可能であり、先の普図表示部１５における変動表示や回動翼片１２ａ，１２ａの開放動作が終わった後、保留した順に読み出して新たな普図表示部１５での変動表示を開始する。
【００２１】
液晶表示部２０では、スタートチャッカー１２への入賞に基づいて実行される大当たり抽選の当否判定結果に応じて複数（例えば左右方向に３桁）の図柄列２０Ｌ，２０Ｃ，２０Ｒ毎に複数種（例えば７種）の特図が変動表示された後、所定の特図が停止表示される。これら７種の特図は、数字の１〜７を表記記号として表示される記号図柄と、擬人化されたキャラクタ（例えば、７人の“ロボちゃん”）をイメージさせるキャラクタ図柄とをそれぞれ組合せた組合せ図柄で構成されている。大当たり抽選の当否判定は記号図柄の表記内容（ここでは数字の１〜７）によって行なわれ、対応するキャラクタ図柄にはそれぞれのキャラクタイメージが付随している（図５参照）。
【００２２】
また、液晶表示部２０での変動表示中あるいは大当たり中において、玉がスタートチャッカー１２を通過したとき、その玉の通過に基づいて行われた大当たり抽選の当否判定結果を一時記憶（保留）し、特図保留表示部２１のＬＥＤを１つ点灯する。大当たり抽選の結果は最大４つまで保留することが可能であり、先の液晶表示部２０における変動表示や大当たりが終わった後、保留した順に読み出して新たな特図の変動表示を液晶表示部２０で開始する。
【００２３】
玉供給皿４の左端部の上端面には、キャラクタ図柄のイメージを変更するために、変更するキャラクタ図柄を遊技者が選択して入力操作する選択ボタン（以下、Ｂボタンともいう）７（操作手段）と、キャラクタ図柄の変更（移動）を確定して入力操作する確定ボタン（以下、Ａボタンともいう）６（操作手段）とが配置されている。具体的には、左，中，右の図柄列２０Ｌ，２０Ｃ，２０Ｒに各々表示される組合せ図柄（特図）の記号図柄とキャラクタ図柄との組合せを液晶表示部２０に一覧表示し、Ｂボタン７での一対のキャラクタ図柄の選択操作と、Ａボタン６での相互入れ替え確定操作とによって一対の組合せ図柄を同時に変更して新たな組合せ図柄を制作・設定する（図６参照）。
【００２４】
図２は、パチンコ遊技機の電気的構成を概略的に示すブロック図である。パチンコ遊技機１の主制御部１００には主回路１２０が搭載され、副制御回路１０１及び払出制御回路１０７が接続されている。
【００２５】
主回路１２０は、演算装置であるＣＰＵ（Central Processing Unit）１２１（抽選手段；当否判定手段；遊技制御手段）、プログラム格納用の読み取り専用記憶装置であるＲＯＭ（Read Only Memory）１２２、ワークエリアや各種カウンタ等が割り当てられる読み書き可能な記憶装置であるＲＡＭ（Random Access Memory）１２３、及び入出力インターフェースであるＩ／Ｏ（Input/Output）１２４を備えており、これらはバス（図示せず）を介して相互に接続されている。なお、その他の各回路も、個別にＣＰＵ（制御回路）やメモリを備える構成が一般的であるが、図２では省略している。また、各回路には、電源回路１１７にて生成された所定電圧の電力が主回路１２０を介して供給されている。
【００２６】
副制御回路１０１は、主回路１２０より入力される音声制御信号に応じてアンプ／スピーカ１０２より音声を出力させる。また、副制御回路１０１は、主回路１２０より入力されるランプ制御信号に応じて装飾ランプ類１０３の点灯／消灯を制御する。さらに、副制御回路１０１は、主回路１２０より入力される表示制御信号を表示制御回路１０４に出力する。表示制御回路１０４（表示制御手段）は、副制御回路１０１を介して入力される表示制御信号に応じて液晶表示部２０を制御し、特図（組合せ図柄）の変動表示や演出表示を実行させる。また、表示制御回路１０４（図柄設定制御手段）は、遊技者がＡボタン６とＢボタン７とを入力操作することに応じて液晶表示部２０を制御し、新たな組合せ図柄を制作し設定する。
【００２７】
払出制御回路１０７は、主回路１２０より入力される賞球払出信号に応じて払出装置１０８を制御する。これにより、遊技者に対して所定数の賞球が玉供給皿４に払い出される。発射制御回路１０９は、遊技者がハンドル装置５を操作することに応じて、ハンドル装置５に対応して設けられた発射装置１１０を作動させ、玉供給皿４に準備された玉を遊技領域３ａに向けて発射する。ハンドル装置５の操作量に応じて、玉の打ち出し強さ（玉の飛距離）を調節することが可能となっている。
【００２８】
主回路１２０には、通過ゲート１１に付設されたゲート通過検出器１１１、スタートチャッカー１２に付設された始動入賞検出器１１２、及び大入賞装置１３に付設された大入賞検出器１１３からの玉検知信号がそれぞれ入力されている。各検出器１１１，１１２，１１３は、有接点式または無接点式のセンサ（スイッチ）により構成することができる。
【００２９】
主回路１２０は、スタートチャッカー１２の回動翼片１２ａ，１２ａを開閉する電チューソレノイド１１５、大入賞装置１３を開閉する大入賞ソレノイド１１６、特図保留表示部２１のＬＥＤ、普図表示部１５のＬＥＤ、及び普図保留表示部１６のＬＥＤをそれぞれ駆動制御している。
【００３０】
次に、図１を用いて、パチンコ遊技機１における遊技の流れ（遊技盤３上での遊技状態の変化）について概要を説明する。
【００３１】
通常状態では、玉が通過ゲート１１に入球してゲート通過検出器１１１で検知されると、普図の当たり抽選（普図用乱数カウンタから値を抽出）が実行されて抽選結果が普図保留として記憶される。通常用の当たり判定テーブル（普図当選確率：１／１００）を用いて当たり抽選の抽選結果を判定し、その判定結果に応じて普図表示部１５に抽選結果を表示する。当たり抽選の結果が当たりであると、普図表示部１５のＬＥＤを点灯表示させるとともに、電チューソレノイド１１５を励磁して回動翼片１２ａ，１２ａを所定時間（０．２秒で１回）開放して、スタートチャッカー１２に入賞しやすくする。
【００３２】
玉がスタートチャッカー１２に入賞して始動入賞検出器１１２で検知されると始動条件が成立し、所定数の賞球（例えば１入賞当たり３個）を払い出し、大当たり抽選（特図用乱数カウンタから値を抽出）が実行されて抽選結果が特図保留として記憶される。通常・時短用の大当たり判定テーブル（特図当選確率：１／３００）を用いて大当たり抽選の抽選結果を記号図柄により判定し、その判定結果に応じた図柄変動が液晶表示部２０で開始される。液晶表示部２０では、３桁（左，中，右）の図柄列２０Ｌ，２０Ｃ，２０Ｒが所定時間にわたり変動表示され、判定結果が大当たりであれば３桁の大当たり図柄（例えば「７７７」等のゾロ目）が確定表示（停止表示）され、判定結果がハズレであれば３桁のハズレ図柄（例えば「１２３」等のバラケ目）が確定表示（停止表示）される。
【００３３】
液晶表示部２０に大当たり図柄が停止表示されると「大当たり状態（特別遊技状態）」となり、大入賞ソレノイド１１６を励磁することで大入賞装置１３を開放し、玉が極めて入り易い状況をもたらす。大入賞装置１３は、開放された後、大入賞検出器１１３による所定数（例えば１０個）の入賞検知又は所定時間（例えば２５秒）の経過を１ラウンドとし、大入賞ソレノイド１１６を非励磁にすることで閉鎖される。１回の大当たり状態では、所定ラウンド回数（例えば１５回）まで繰り返されるので、このような大当たり状態の間に遊技者は多数の賞球（例えば１入賞当たり１５個）を得ることができる。
【００３４】
通常状態での大当たり終了後は、６０％の割合で確変状態（高確率状態；確変中）となる。すなわち、奇数の大当たり図柄で大当たりとなった後は確変状態となり、次回の大当たりまで継続する。一方、偶数の大当たり図柄で大当たりとなった後は時短状態となり、次回の大当たりが発生するか、特図の変動表示が１００回行なわれるか、いずれかが成立するまで継続する。
【００３５】
確変状態においては、普図の当選確率は高くなり（普図当選確率：９９／１００）、回動翼片１２ａ，１２ａの開放時間が長くなる（１．５秒間×３回）とともに、通常用の大当たり判定テーブル（特図当選確率：１／３００）よりも大当たりの当選確率が高い確変用の大当たり判定テーブル（特図当選確率：１／６０）によって当否判定が行われる。つまり、確変状態では、スタートチャッカー１２への入賞が容易になるので、持玉をさほど減らすことなく遊技できるとともに、すぐに次の大当たりに当選することができる。
【００３６】
時短状態は、確変状態と同様に普図の当選確率は高くなり、回動翼片１２ａ，１２ａの開放時間が長くなるとともに、通常用の大当たり判定テーブル（特図当選確率：１／３００）によって当否判定が行われる。つまり、時短状態でも、スタートチャッカー１２への入賞は容易なので、持玉をさほど減らすことなく遊技できる。新たな大当たりに当選しなければ特図の変動表示が繰り返され、時短状態が終了すると通常状態へ移行する。
【００３７】
次に、キャラクタイメージの仕様変更（カスタマイズ化）のために、パチンコ遊技機１で行なわれる図柄設定制御について、図３・図４に示すフローチャート、図６に示す手順の説明図、及び図５・図７に示す図柄配列の展開図に従って説明する。
【００３８】
３桁（左，中，右）の図柄列２０Ｌ，２０Ｃ，２０Ｒの図柄配列は、図５に示す標準仕様で初期設定（デフォルト）されている。すなわち、各図柄列２０Ｌ，２０Ｃ，２０Ｒに表示された特図（組合せ図柄）は、記号図柄（識別図柄）の表記内容（数字の１〜７）が大当たり抽選の当否判定基準となり、それぞれに異なるイメージを付随させる形でキャラクタ図柄（異なる態様の“ロボちゃん”；装飾図柄）を組み合わせてある。左，中の図柄列２０Ｌ，２０Ｃに表示された特図と、右の図柄列２０Ｒに表示された特図とは、配列順序が逆方向になっている以外、同じものである。各図柄列２０Ｌ，２０Ｃ，２０Ｒは同じ方向に回転表示されるので、左，中の図柄列２０Ｌ，２０Ｃでは、特図が１→２→…→７と変動表示するのに対して、右の図柄列２０Ｒでは、特図が７→６→…→１と変動表示する。
【００３９】
具体的には、特図の記号図柄とキャラクタ図柄との組合せを示す図柄設定情報の初期値は、表示制御回路１０４に設けられたＲＯＭ（図示せず）に記憶されており、この図柄設定情報の初期値は、電源起動時などの初期設定時にＲＯＭから読み出されて表示制御回路１０４に設けられたＲＡＭ（図柄記憶手段；図示せず）に記憶される。表示制御回路１０４は、このＲＡＭに記憶された図柄設定情報を参照して、液晶表示部２０に記号図柄とキャラクタ図柄とを組合せた特図を表示しており、後述するようにＡボタン６やＢボタン７の操作に応じて特図の組合せが変更されると、ＲＡＭに記憶された図柄設定情報を更新する。
【００４０】
図３は図柄設定起動処理を示すフローチャートである。まず、表示制御回路１０４は、液晶表示部２０が待機中の画面表示、すなわち図柄変動していない状態であるか否かを判定する（Ｓ１）。待機中であれば（Ｓ１：ＹＥＳ）、図柄設定（キャラクタ図柄の仕様変更）のために遊技者がＡボタン６を押下操作したか否かを判定し（Ｓ２）、Ａボタンの押下操作があれば（Ｓ２：ＹＥＳ）、図柄設定処理を実行した後（Ｓ３）、図柄設定起動処理を終了する。なお、液晶表示部２０が待機中でない、すなわち図柄変動中である場合（Ｓ１：ＮＯ）、及びＡボタンの押下操作がない場合には（Ｓ２：ＮＯ）、そのまま図柄設定起動処理を終了する。
【００４１】
図４は図３の図柄設定処理サブルーチンを示すフローチャートであり、図６の図柄設定の手順説明図と符合する。なお、図６において、破線枠で囲まれたキャラクタは点滅状態を示し、二重枠で囲まれたキャラクタは確定状態を表わす。表示制御回路１０４は、自身のＲＡＭに記憶された図柄設定情報を当初の図柄設定、すなわち図５に示す標準仕様（デフォルト）として読み込み（Ｓ３１）、記号図柄の表記内容（数字の１〜７）に基づいて組合せ図柄を図柄変更初期画面として液晶表示部２０に一覧表示し、数字１のキャラクタ“ロボちゃん３１”が点滅する（Ｓ３２；図６（ａ））。
【００４２】
次に、Ａボタン６が押下操作されたか否かを判定するが（Ｓ３３）、入れ替えたいキャラクタ“ロボちゃん３１〜３７”を選択するためＢボタン７の押下操作待ちの状態であるから（Ｓ３３：ＮＯ）、Ｂボタン７が押下操作されたか否かを判定する（Ｓ３５）。Ｂボタン７が押下操作されると（Ｓ３５：ＹＥＳ）、点滅図柄を１枠ずつ移動させて（Ｓ３６）、Ｓ３３へ戻る。このとき、Ｂボタン７が４回押下操作されると（Ｓ３３：ＮＯ→Ｓ３５：ＹＥＳ→Ｓ３６のループを４回転）、数字５のキャラクタ“ロボちゃん３５”が点滅する（図６（ｂ））。さらに、Ａボタン６が押下操作されると（Ｓ３３：ＹＥＳ）、点滅図柄（ここでは数字５のキャラクタ“ロボちゃん３５”）が選択表示され二重枠で囲まれて確定状態となり、同時に数字１のキャラクタ“ロボちゃん３１”が点滅する（Ｓ３４；図６（ｃ））。
【００４３】
続いて、Ａボタン６が押下操作されたか否かを判定するが（Ｓ３７）、入れ替えたいキャラクタ“ロボちゃん３１〜３７”を選択するためＢボタン７の押下操作待ちの状態であるから（Ｓ３７：ＮＯ）、Ｂボタン７が押下操作されたか否かを判定する（Ｓ４０）。Ｂボタン７が押下操作されると（Ｓ４０：ＹＥＳ）、点滅図柄を１枠ずつ移動させて（Ｓ４１）、Ｓ３７へ戻る。このとき、Ｂボタン７が５回押下操作されると（Ｓ３７：ＮＯ→Ｓ４０：ＹＥＳ→Ｓ４１の循環ループを５回転）、数字７のキャラクタ“ロボちゃん３７”が点滅する（図６（ｄ））。なお、このとき二重枠で囲まれた数字５のキャラクタ“ロボちゃん３５”は選択対象外となってカウントされない。さらに、Ａボタン６が押下操作されると（Ｓ３７：ＹＥＳ）、二重枠図柄（ここでは数字５のキャラクタ“ロボちゃん３５”）と点滅図柄（ここでは数字７のキャラクタ“ロボちゃん３７”）とが入れ替わり、表示制御回路１０４のＲＡＭに記憶された図柄設定情報が更新される（Ｓ３８；図６（ｅ））。このとき、Ａボタン６の押下操作が２秒以上継続されると（Ｓ３９：ＹＥＳ）、図柄設定処理を終了し（図６（ｅ’））、Ａボタン６の押下操作が２秒未満であると（Ｓ３９：ＮＯ）、Ｓ３１へ戻る。
【００４４】
以上の図柄設定処理により、数字５のキャラクタ“ロボちゃん３５”と数字７のキャラクタ“ロボちゃん３７”とが入れ替わる（図６（ａ）→（ｅ’））。その結果、各図柄列２０Ｌ，２０Ｃ，２０Ｒの図柄配列においても、数字５のキャラクタは“ロボちゃん３７”、数字７のキャラクタは“ロボちゃん３５”となり、互いに入れ替わっている（図５→図７）。
【００４５】
このように、遊技者自身の入力操作によって液晶表示部２０上で記号図柄（数字の１〜７）とキャラクタ図柄“ロボちゃん３１〜３７”とをそれぞれ選択して、新たな組合せ図柄（特図）を制作することができる。これによって、遊技者が遊技店で遊技する際に、組合せ図柄における記号図柄とキャラクタ図柄との組合せを設計時に設定された標準仕様（デフォルト：図６（ａ），図５参照）から仕様変更して、いわば遊技機の仕様をカスタマイズ化することができる（図６（ｅ’），図７参照）。したがって、遊技者は好みのキャラクタをパチンコ遊技機１のテーマの中心に据えて遊技を楽しむことができるようになり、遊技者の興趣の向上を図り注目度を高めることができる。しかも、組合せ図柄を仕様変更して新たな組合せ図柄を制作・設定したとき、その新たな組合せ図柄を含め、記号図柄とキャラクタ図柄との組合せが液晶表示部２０にて一覧表示されるので、希望する組合せ図柄への仕様変更が容易に行なえる。
【００４６】
また、記号図柄（数字の１〜７）によって内部抽選の当否判定を行なうので、仕様変更の前後において当否判定結果（例えば、確変大当たり図柄となる記号図柄）を変動させることなく、キャラクタイメージを変更（例えば、サブキャラクタをメインキャラクタに格上げ）して、遊技者の興趣を大きく向上させることができる。
【００４７】
さらに、記号図柄の表記内容（数字の１〜７）を変更せず、キャラクタ図柄“ロボちゃん３１〜３７”の相互入れ替えのみによって、新たな組合せ図柄を制作・設定するので、仕様変更の前後において組合せ図柄総数は増減せず（図５，図７参照）、当選確率が変動しないから、組合せ図柄の仕様変更によって遊技の公平性が損なわれない。
【００４８】
以上で説明した実施例の他、本発明は次のように実施してもよい。
（１）実施例では、記号図柄（数字の１〜７）によって大当たり抽選の当否判定を行なうこととし、記号図柄を固定してキャラクタ図柄“ロボちゃん”を変更した。これに対して、キャラクタ図柄“ロボちゃん”によって大当たり抽選の当否判定を行ない、キャラクタ図柄“ロボちゃん”を固定して記号図柄（数字の１〜７）を変更してもよい。
（２）実施例では、キャラクタ図柄“ロボちゃん”の相互入れ替えのみによって新たな組合せ図柄を制作し、組合せ図柄総数を増減なしとした。これに対して、新規なキャラクタ図柄又は記号図柄を導入して新たな組合せ図柄を制作し、組合せ図柄総数を増減ありとしてもよい。
【００４９】
（３）実施例では、記号図柄とキャラクタ図柄とを組み合わせて新たな組合せ図柄を制作する際の操作手段として２個のボタン（Ａボタン６及びＢボタン７）を用いたが、１個のボタンや十字移動レバー等に集約することができる。さらにガラス扉２に触れて選択入力してもよい。
（４）実施例では、記号図柄としてアラビア数字を用いたが、漢数字、ギリシャ数字等を用いてもよい。また、記号図柄には、漢字、平仮名、片仮名、アルファベット等の文字や記号を用いることもできる。さらに、キャラクタ図柄には、人物、動物等を模した種々のキャラクタや、物体（自然物、人工物）、風景等のイメージのように記号図柄を装飾するものであれば何でも採用できる。
【００５０】
（５）実施例では、一覧表示としてすべての記号図柄とキャラクタ図柄との組合せを液晶表示部２０へ一度に表示したが、同時に１又は複数（全図柄の内の一部）の組合せを表示し、操作手段により順次切り替えて表示できるような表示形式であってもよい。この場合、例えば記号図柄とキャラクタ図柄との組合せをボタン操作に応じて記号図柄の順に切り替え表示して変更したい組合せを選択し、さらなるボタン操作に応じてその記号図柄の表示を保持しつつ付随するキャラクタ図柄を順に切り替え表示して所望のキャラクタ図柄を選択すればよい。
（６）実施例では、液晶表示部２０に表示される特図（特別図柄）を組合せ変更図柄の対象としたが、主回路１２０により制御される特図はＬＥＤ等の別の表示手段により変動表示させ、その特図と連動して液晶表示部２０にて変動表示するダミー図柄を対象としてもよいし、普図（普通図柄）を対象としてもよい。いずれにしても、記号図柄とキャラクタ図柄とを組み合わせた組合せ図柄が組合せ変更図柄の対象であれば、遊技者の興趣を高めることができる。
（７）実施例ではパチンコ遊技機のみについて説明したが、スロットマシンに適用してもよい。
【図面の簡単な説明】
【００５１】
【図１】本発明に係る遊技機の一例であるパチンコ遊技機の正面模式図。
【図２】図１のパチンコ遊技機の電気的構成を示すブロック図。
【図３】図柄設定起動処理を示すフローチャート。
【図４】図３の図柄設定処理サブルーチンを示すフローチャート。
【図５】標準仕様（デフォルト）の図柄配列を示す展開図。
【図６】図４に基づく図柄設定の手順を示す説明図。
【図７】仕様変更（カスタマイズ）後の図柄配列を示す展開図。
【符号の説明】
【００５２】
１      パチンコ遊技機（遊技機）
３      遊技盤
３ａ    遊技領域
６      確定ボタン（Ａボタン；操作手段）
７      選択ボタン（Ｂボタン；操作手段）
１２    スタートチャッカー（始動入賞口；電動チューリップ）
１３    大入賞装置（可変入賞装置；アタッカー）
２０    液晶表示部（特図表示部；表示手段）
２０Ｌ  左図柄列（図柄列）
２０Ｃ  中図柄列（図柄列）
２０Ｒ  右図柄列（図柄列）
１０４  表示制御回路（表示制御手段；図柄設定制御手段；図柄記憶手段）
１２１  ＣＰＵ（抽選手段；当否判定手段；遊技制御手段）
【図２】
2009089953.tif 000003
【図３】
2009089953.tif 000004
【図４】
2009089953.tif 000005
【図１】
2009089953.tif 000006
【図５】
2009089953.tif 000007
【図６】
2009089953.tif 000008
【図７】
2009089953.tif 000009